(57)【要約】【課題】両用クッション体の提供。【解決手段】両用クッション体は通風効果と発熱効果を切り替え可能な両用クッション体実施技術で、関連する制御ユニットを設置することにより、使用者は該制御ユニットの操作を通して通風と発熱の効果を切り替え、調整することができる。座布団、ベッドマット、足元マットなどへの運用に適した一般のクッション体でありながら、冬季は暖かく夏季は涼しいという効果を達成し、しかも構造が柔軟、軽量、薄く形態式の設計であるため、折畳み収納に便利である。【選択図】図２
0003130719.tif 000002
【実用新案登録請求の範囲】
【請求項１】
隔絶層、通風層、通気層、ファン、発熱ユニット、制御ユニットを含み、
該通風層は該隔絶層に隣接し、該通風層は該隔絶層片面に第一通風空間を形成する少なくとも１個の第一間隔部を突出設置し、しかも該通風層は該第一通風空間に対応し、反対面を貫通する多数の通風孔を設置し、
該通気層は該通風層に隣接し、両用クッション体の表面に位置し、
該ファンは該第一空間に連通し、
該発熱ユニットは該隔絶層と該通気層の間に設置し、
該制御ユニットは該ファンと該発熱ユニットに連接することを特徴とする両用クッション体。
【請求項２】
請求項１記載の両用クッション体において、前記第一間隔部は凸柱、凸リブ、凸粒の内の一つの形態であることを特徴とする両用クッション体。
【請求項３】
請求項１記載の両用クッション体において、前記通風層は該通気層の片面に隣接し、該通気層に相対し第二通風空間を形成する少なくとも１個の第二間隔部を設置することを特徴とする両用クッション体。
【請求項４】
請求項３記載の両用クッション体において、前記第二間隔部は凸柱、凸リブ、凸粒の内の一つの形態であることを特徴とする両用クッション体。
【請求項５】
請求項１記載の両用クッション体において、前記通気層は網状形態、通気孔を備える皮革のうちの一つであることを特徴とする両用クッション体。
【請求項６】
請求項１記載の両用クッション体において、前記両用クッション体はさらに該隔絶層に隣接し該両用クッション体下表面に位置する保護層を含み、しかも該隔絶層は発泡材質により構成することを特徴とする両用クッション体。
【請求項７】
請求項１記載の両用クッション体において、前記発熱ユニットはカーボンファイバー発熱線、遠赤外線放射体の内の一つであることを特徴とする両用クッション体。
【請求項８】
請求項１記載の両用クッション体において、前記発熱ユニットは該通風層と該隔絶層の間に設置することを特徴とする両用クッション体。
【請求項９】
請求項１記載の両用クッション体において、前記両用クッション体はさらに該ファンに隣接する少なくとも１個の保護フレームを含むことを特徴とする両用クッション体。
【請求項１０】
請求項１記載の両用クッション体において、前記制御ユニットはさらにスイッチと電源供給部を含むことを特徴とする両用クッション体。
【請求項１１】
請求項１０記載の両用クッション体において、前記電源供給部は電池、電源線、電源コネクターの内の一つであることを特徴とする両用クッション体。
【請求項１２】
請求項１記載の両用クッション体において、前記制御ユニットはさらに風量及び温度を制御可能なダイヤルを含むことを特徴とする両用クッション体。
【請求項１３】
通気層、ソフト充填層、隔絶層、通風層、ファン、発熱ユニット、制御ユニットを含み、
該通気層は両用クッション体上表面に設置し、
該ソフト充填層は該両用クッション体下表面に設置し、
該隔絶層は該通気層と該ソフト充填層の間に設置し、
該通風層は該通気層と該隔絶層の間に設置し、該通風層は該隔絶層片面に第一通風空間を形成する少なくとも１個の第一間隔部を突出設置し、しかも該通風層は該第一通風空間に対応し、反対面を貫通する多数の通風孔を設置し、
該ファンは該第一空間に連通し、
該発熱ユニットは該隔絶層と該ソフト充填層の間に設置し、
該制御ユニットは該ファンと該発熱ユニットに連接することを特徴とする両用クッション体。
【請求項１４】
請求項１３記載の両用クッション体において、前記発熱ユニットは印刷加熱片、カーボンファイバー発熱線、遠赤外線放射体の内の一つであることを特徴とする両用クッション体。
【請求項１５】
請求項１３記載の両用クッション体において、前記発熱ユニットはカーボンファイバー発熱線を湾曲周回し布上に構成することを特徴とする両用クッション体。
【請求項１６】
請求項１３記載の両用クッション体において、前記隔絶層と該発熱ユニットの間には第一緩衝層を設置することを特徴とする両用クッション体。
【請求項１７】
請求項１３記載の両用クッション体において、前記第一間隔部は凸柱、凸リブ、凸粒の内の一つの形態であることを特徴とする両用クッション体。
【請求項１８】
請求項１３記載の両用クッション体において、前記両用クッション体はさらに該ファンに隣接する少なくとも１個の保護フレームを含むことを特徴とする両用クッション体。
【請求項１９】
請求項１３記載の両用クッション体において、前記通気層は網状形態、通気孔を備える皮革のうちの一つであることを特徴とする両用クッション体。
【請求項２０】
請求項１３記載の両用クッション体において、前記通気層と該通風層の間には少なくとも１個の第二緩衝層を設置することを特徴とする両用クッション体。
【請求項２１】
請求項１３記載の両用クッション体において、前記制御ユニットはさらにスイッチと電源供給部を含むことを特徴とする両用クッション体。
【請求項２２】
請求項２１記載の両用クッション体において、前記電源供給部は電池、電源線、電源コネクターの内の一つであることを特徴とする両用クッション体。
【請求項２３】
請求項１３記載の両用クッション体において、前記制御ユニットはさらに風量及び温度を制御可能なダイヤルを含むことを特徴とする両用クッション体。
【請求項２４】
請求項１３記載の両用クッション体において、前記通風層は該通気層の片面に隣接し、該通気層に相対し第二通風空間を形成する少なくとも１個の第二間隔部を設置することを特徴とする両用クッション体。
【請求項２５】
請求項１３記載の両用クッション体において、前記第二間隔部は凸柱、凸リブ、凸粒の内の一つの形態であることを特徴とする両用クッション体。
【考案の詳細な説明】
【技術分野】
【０００１】
本考案は一種の両用クッション体に関する。特に一種の座布団、ベッドマット、足元マットなどへの運用に適した一般のクッション体で、実施時には使用者の必要に応じて、通風効果と発熱効果の切り替えを行うことができ、冬は暖かく夏は涼しく使用することができる両用クッション体に係る。
【背景技術】
【０００２】
公知の冷暖両用クッション体は、冬は保温、夏は涼しさを提供する使用効果を達成するため、クッション体の片面に保温可能な材質を設置し、クッション体の反対の面に触感がひんやりし通風感のある材質を設置している。例えば、クッション体のある面には比較的厚く比較的やわらかい綿布或いはフェルト層により製造する保温層を設置し、冬季の使用時にも温度が発散し難くし、保温の効果を達成し、またクッション体の反対面に竹薄片或いはイグサなどの草類により編んだ通気層を設置し、これにより夏季の使用時にひんやりした感触を提供することができる。
公知の冷暖両用クッションはコストが低廉であるが、クッション体本体に主動的に加熱或いは主動的に通風する機能がないため、寒冷な冬季或いは灼熱の夏季には使用者のニーズと期待を満たすことができていない。
【考案の開示】
【考案が解決しようとする課題】
【０００３】
本考案は主動加熱と主動通風の効果を備えた両用クッション体を提供し、これにより使用者は必要に応じて通風効果、発熱効果への切り替えと調整が可能で、
それは、隔絶層、通風層、通気層、ファン、発熱ユニット、制御ユニットを含み、
これにより使用者は該制御ユニットを通して該ファンと該発熱ユニットの運転を切り替え及び調整することができ、しかも該ファンの運転時には該通気層は通風効果を備え、該発熱ユニットの発熱時には該両用クッション体の温度は上昇し、
実施においては、該両用クッション体が生じる通風効果と発熱効果は、該両用クッション体の上表面に統合する単面式の実施形態とすることができ、または該両用クッション体の上、下表面にそれぞれ現出する両面式の実施形態とすることもできる。
【０００４】
該両用クッション体が単面式の実施形態である時には、裏返す必要なく、主動加熱及び主動通風効果を兼ね備える実施形態とすることができ、その単面式の実施形態の構造は隔絶層、通風層、通気層、ファン、発熱ユニット、制御ユニットを含み、
該通風層は該隔絶層に隣接し、該通風層は該隔絶層片面に第一通風空間を形成する少なくとも１個の第一間隔部を突出設置し、しかも該通風層は該第一通風空間に対応し、反対面を貫通する多数の通風孔を設置し、
該通気層は該通風層に隣接し、
該ファンは該第一空間に連通し、外部空気を吸入し或いは該第一通風空間に吹き出し、
該発熱ユニットは該隔絶層と該通気層の間（例えば、該発熱ユニットは該通風層と該隔絶層の間に設置する）に設置し、
該制御ユニットは該ファンと該発熱ユニットに連接する。
【０００５】
該両用クッション体の通風効果を発揮しようとする時には、使用者は該制御ユニットを操作しファンの運転を起動すると、該ファンは外部空気を通風層の第一通風空間に吸入し、該通風孔より該通気層を通じて吹き出され、或いは外部空気を該通風孔から該第一通風空間に吸入し、さらに該ファンを経由し吹き出し、こうして該通気層は通風散熱の効果を達成し、
該両用クッション体の保温効果を発揮しようとする時には、使用者は該制御ユニットを操作し該発熱ユニットの運転を起動すると、該発熱ユニットが発する熱は該両用クッション体の全体的温度を上昇させ、使用者に適当な防寒効果を提供可能で、或いは該発熱ユニットはさらに遠赤外線放射体を含み、遠赤外線を放射し使用者の血行を促進することができる。
【０００６】
該両用クッション体が両面式の実施形態である時には、裏返すことにより選択し、主動加熱と主動通風の効果を兼ね備えるクッション体を実施することができ、その両面式の実施形態の構造は通気層、ソフト充填層、隔絶層、通風層、ファン、発熱ユニット、制御ユニットを含み、
該通気層は上表面に設置し、
該ソフト充填層は下表面に設置し、
該隔絶層は該通気層と該ソフト充填層の間に設置し、
該通風層は該通気層と該隔絶層の間に設置し、該通風層は該隔絶層片面に第一通風空間を形成する少なくとも１個の第一間隔部を突出設置し、しかも該通風層は該第一通風空間に対応し、反対面を貫通する多数の通風孔を設置し、
該ファンは該第一空間に連通し、外部空気を吸入し或いは該第一通風空間に吹き出し、
該発熱ユニットは該隔絶層と該ソフト充填層の間に設置し、
該制御ユニットは該ファンと該発熱ユニットに連接する。
【０００７】
該両用クッション体の通風効果を発揮しようとする時には、使用者は先ず該通気層を上向きに置き、該制御ユニットを操作しファンの運転を起動すると、該ファンは外部空気を通風層の第一通風空間に吸入し、該通風孔より該通気層を通じて吹き出され、或いは外部空気を該通風孔から該第一通風空間に吸入し、さらに該ファンを経由し吹き出し、こうして該通気層は通風散熱の効果を達成し、
該両用クッション体の保温効果を発揮しようとする時には、使用者は先ず該ソフト充填層を上向きに置き、該制御ユニットを操作し該発熱ユニットの運転を起動すると、該発熱ユニットが発する熱は該両用クッション体の全体的温度を上昇させ、使用者に適当な防寒効果を提供可能で、或いは該発熱ユニットはさらに遠赤外線放射体を含み、遠赤外線を放射し使用者の血行を促進することができることを特徴とする両用クッション体である。
【課題を解決するための手段】
【０００８】
請求項１の考案は、隔絶層、通風層、通気層、ファン、発熱ユニット、制御ユニットを含み、
該通風層は該隔絶層に隣接し、該通風層は該隔絶層片面に第一通風空間を形成する少なくとも１個の第一間隔部を突出設置し、しかも該通風層は該第一通風空間に対応し、反対面を貫通する多数の通風孔を設置し、
該通気層は該通風層に隣接し、両用クッション体の表面に位置し、
該ファンは該第一空間に連通し、
該発熱ユニットは該隔絶層と該通気層の間に設置し、
該制御ユニットは該ファンと該発熱ユニットに連接することを特徴とする両用クッション体としている。
請求項２の考案は、請求項１記載の両用クッション体において、前記第一間隔部は凸柱、凸リブ、凸粒の内の一つの形態であることを特徴とする両用クッション体としている。
請求項３の考案は、請求項１記載の両用クッション体において、前記通風層は該通気層の片面に隣接し、該通気層に相対し第二通風空間を形成する少なくとも１個の第二間隔部を設置することを特徴とする両用クッション体としている。
請求項４の考案は、請求項３記載の両用クッション体において、前記第二間隔部は凸柱、凸リブ、凸粒の内の一つの形態であることを特徴とする両用クッション体としている。
請求項５の考案は、請求項１記載の両用クッション体において、前記通気層は網状形態、通気孔を備える皮革のうちの一つであることを特徴とする両用クッション体としている。
請求項６の考案は、請求項１記載の両用クッション体において、前記両用クッション体はさらに該隔絶層に隣接し該両用クッション体下表面に位置する保護層を含み、しかも該隔絶層は発泡材質により構成することを特徴とする両用クッション体としている。
請求項７の考案は、請求項１記載の両用クッション体において、前記発熱ユニットはカーボンファイバー発熱線、遠赤外線放射体の内の一つであることを特徴とする両用クッション体としている。
請求項８の考案は、請求項１記載の両用クッション体において、前記発熱ユニットは該通風層と該隔絶層の間に設置することを特徴とする両用クッション体としている。
請求項９の考案は、請求項１記載の両用クッション体において、前記両用クッション体はさらに該ファンに隣接する少なくとも１個の保護フレームを含むことを特徴とする両用クッション体としている。
請求項１０の考案は、請求項１記載の両用クッション体において、前記制御ユニットはさらにスイッチと電源供給部を含むことを特徴とする両用クッション体としている。
請求項１１の考案は、請求項１０記載の両用クッション体において、前記電源供給部は電池、電源線、電源コネクターの内の一つであることを特徴とする両用クッション体としている。
請求項１２の考案は、請求項１記載の両用クッション体において、前記制御ユニットはさらに風量及び温度を制御可能なダイヤルを含むことを特徴とする両用クッション体としている。
【０００９】
請求項１３の考案は、通気層、ソフト充填層、隔絶層、通風層、ファン、発熱ユニット、制御ユニットを含み、
該通気層は両用クッション体上表面に設置し、
該ソフト充填層は該両用クッション体下表面に設置し、
該隔絶層は該通気層と該ソフト充填層の間に設置し、
該通風層は該通気層と該隔絶層の間に設置し、該通風層は該隔絶層片面に第一通風空間を形成する少なくとも１個の第一間隔部を突出設置し、しかも該通風層は該第一通風空間に対応し、反対面を貫通する多数の通風孔を設置し、
該ファンは該第一空間に連通し、
該発熱ユニットは該隔絶層と該ソフト充填層の間に設置し、
該制御ユニットは該ファンと該発熱ユニットに連接することを特徴とする両用クッション体としている。
請求項１４の考案は、請求項１３記載の両用クッション体において、前記発熱ユニットは印刷加熱片、カーボンファイバー発熱線、遠赤外線放射体の内の一つであることを特徴とする両用クッション体としている。
請求項１５の考案は、請求項１３記載の両用クッション体において、前記発熱ユニットはカーボンファイバー発熱線を湾曲周回し布上に構成することを特徴とする両用クッション体としている。
請求項１６の考案は、請求項１３記載の両用クッション体において、前記隔絶層と該発熱ユニットの間には第一緩衝層を設置することを特徴とする両用クッション体としている。
請求項１７の考案は、請求項１３記載の両用クッション体において、前記第一間隔部は凸柱、凸リブ、凸粒の内の一つの形態であることを特徴とする両用クッション体としている。
請求項１８の考案は、請求項１３記載の両用クッション体において、前記両用クッション体はさらに該ファンに隣接する少なくとも１個の保護フレームを含むことを特徴とする両用クッション体としている。
請求項１９の考案は、請求項１３記載の両用クッション体において、前記通気層は網状形態、通気孔を備える皮革のうちの一つであることを特徴とする両用クッション体としている。
請求項２０の考案は、請求項１３記載の両用クッション体において、前記通気層と該通風層の間には少なくとも１個の第二緩衝層を設置することを特徴とする両用クッション体としている。
請求項２１の考案は、請求項１３記載の両用クッション体において、前記制御ユニットはさらにスイッチと電源供給部を含むことを特徴とする両用クッション体としている。
請求項２２の考案は、請求項２１記載の両用クッション体において、前記電源供給部は電池、電源線、電源コネクターの内の一つであることを特徴とする両用クッション体としている。
請求項２３の考案は、請求項１３記載の両用クッション体において、前記制御ユニットはさらに風量及び温度を制御可能なダイヤルを含むことを特徴とする両用クッション体としている。
請求項２４の考案は、請求項１３記載の両用クッション体において、前記通風層は該通気層の片面に隣接し、該通気層に相対し第二通風空間を形成する少なくとも１個の第二間隔部を設置することを特徴とする両用クッション体としている。
請求項２５の考案は、請求項１３記載の両用クッション体において、前記第二間隔部は凸柱、凸リブ、凸粒の内の一つの形態であることを特徴とする両用クッション体としている。
【考案の効果】
【００１０】
本考案は使用者の必要に応じて通風効果と発熱効果を切り換えることができ、さらに主動通風効果を提供可能であるため、使用者は夏季或いは蒸し暑い環境において、涼しさを得ることができる。また本考案両用クッション体は主動発熱効果を提供可能であるため、使用者は冬季或いは寒冷な環境において、保温の効果を得ることができる。さらに本考案の両用クッション体は構造が柔軟で軽量かつ薄い形態式の設計であるため、折畳み収納に便利である。
【考案を実施するための最良の形態】
【００１１】
図１は本考案第一実施例の立体分解図である。本実施例は両用クッション体の単面式を呈する実施の構造を例示する。それは隔絶層１０、保護層２０、通風層３０、ファン４０、通気層５０、発熱ユニット６０、制御ユニット７０を含む。その組合せ後の立体外観図は図２に示す。
組み合わせの時には、両用クッション体の外周には包覆層８０を設置し、該隔絶層１０、該保護層２０、該通風層３０、該通気層５０の辺縁を保護し、両用クッション体の全体的視角効果を向上させる。
次に図３は本考案第一実施例の断面概略図である。図１、２、３に示すように、該隔絶層１０は発泡材質により構成し、その保温と空気隔絶の効果を向上させ、該保護層２０は該両用クッション体の下表面に位置し、しかも該隔絶層１０の下方に隣接し設置する。該隔絶層１０が外物による損傷を受けないよう、該隔絶層１０と外部環境は隔離される。
【００１２】
該通風層３０は該隔絶層１０の上方に隣接し設置され、該通風層３０は該隔絶層１０の片面に少なくとも１個の第一通風空間を設置する第一間隔部３１（図中の第一間隔部３１は該通風層３０の下方に位置する）突出設置する。該第一間隔部３１は凸柱形態、凸リブ形態、或いは凸粒形態を呈し、これにより該通風層３０と該隔絶層１０の間には適当な第一通風空間が形成される。或いは凸柱、凸リブ、凸粒を混合採用し併用する形態として実施することもできる。図中では凸柱形態により説明する。さらに該通風層３０は第一通風空間に対応し、反対面を貫通する多数の通風孔３２を設置する。
該ファン４０は該第一通風空間に連接し、しかも該制御ユニット７０と連接する。図中では該ファン４０を定位する手段を掲示する。それは、該通風層３０上にファン孔３３を残し該ファン４０を設置するもので、該ファン４０は遠心式ファン、軸流式ファン、或いは一般のフィン式ファンとすることができる。図は一般のフィン式ファンにより説明する。
該通気層５０は両用クッション体表面に位置し、しかも該通風層３０の上方に隣接し設置する。該通気層５０は網状或いは通気効果が高い布面形態を呈し、これにより最適の通気効果を得ることができる。
【００１３】
該ファン４０が運転すると、外部の空気は該通風層３０の第一通風空間に吸入され、該通風孔３２により該通気層５０を経由し吹き抜ける。
或いは図４に示すように、該ファン４０の運転を通し、外部の空気は該通風孔３２より第一通風空間へと吸入され、さらに該ファン４０により吹き出され、こうして該通気層５０は通風散熱の効果を達成する。
さらに該通風層３０は該通気層５０の片面（図中では通風層３０の上方）に隣接し、該通気層５０に相対し、少なくとも１個の第二通風空間を形成する第二間隔部３４を設置する。該第二間隔部３４は凸柱形態、凸リブ形態、或いは凸粒形態を呈し、これにより使用時に使用者にさらに優れた触感を提供することができる。また、空気が該通風孔３２から吸入され、或いは吹き出される時、使用者が圧迫され詰まる状況の発生を回避することができる。図は凸粒形態により説明する。
【００１４】
本考案第一実施例の通風層の背面概略図である図５、本考案第一実施例の発熱状態概略図である図６に示すように、該発熱ユニット６０は該隔絶層１０と該通気層５０の間に設置する。例えば、該発熱ユニット６０は該通風層３０の背面に設置し、しかも該発熱ユニット６０を該第一間隔部３１上に巻き付け設置し、或いは穿設し、定位の効果を達成する。
使用者が該制御ユニット７０を操作し該発熱ユニット６０を作動させると、該発熱ユニット６０は熱を発し該両用クッション体全体の温度を上げることができ、使用者に適当な防寒効果を提供することができる。或いは該両用クッション体はさらに遠赤外線放射体を含み、遠赤外線を放射し使用者の血行を促進することもできる。
【００１５】
次に該ファン４０とファンフィンを保護するために、該ファン４０位置に隣接し少なくとも１個の保護フレーム４１を設置する。例えば、該ファン４０が一般のフィン式ファンである時、その進風及び出風端はそれぞれ該保護フレーム４１に設置し、相互に隣接する該ファン４０の隔絶層１０、該通気層５０が外力により圧迫された時にも、該ファン４０内に落下せず、こうして該ファン４０のフィンにひっかかることを回避可能である。該ファン４０が遠心式ファンである時には、その開口が比較的大きい進風或いは出風端において保護フレーム４１を単独で設置することができる。
実施時には、該制御ユニット７０はさらにスイッチ７１、電源供給部７２、ダイヤル３を含む。
該スイッチ７１は三段式切り替えスイッチで、該ファン４０、該発熱ユニット６０の作動或いは停止を切り替え、該電源供給部７２は家庭用電源、自動車用電源、コンピュータUSBポートなどの外部電源の連接に用いる。該ダイヤル７３は該ファン４０の風量の大小或いは該発熱ユニット６０の誘う温度の制御に用いる。
【００１６】
本考案第二実施例の立体外観図である図７に示すように、この実施例が示す構造は単面式の両用クッション体の別種の実施構造である。第二実施例と前記第一実施例の差異は、該通気層５０が網状形態でなく、該通気穴５１を備えた本皮、合成皮革、ビニールシートなどの皮革である点である。これにより該両用クッション体は実施時にさらに美しい美観を備える。
上記第一実施例、第二実施例共に、使用者は必要に応じて両用クッション体の風量或いは温度を調整可能で、該隔絶層１０、該保護層２０、該通風層３０、該通気層５０、該発熱ユニット６０の構造は柔軟で、軽量な材質を選択し、これにより使用者は該両用クッション体を折畳み収納することができる。
【００１７】
本考案第三実施例の立体外観図である図８に示すように、この実施例が示す構造は両面式の実施形態である。該構造は隔絶層１０、第一緩衝層１１、通風層３０、ファン４０、通気層５０、少なくとも１個の第二緩衝層５２、発熱ユニット６０、制御ユニット７０、ソフト充填層９０を含む。
第三実施例と前記第一、二実施例の構造は、原理はおおかた相同であるが、その主要な差異は以下の通りである。
すなわち、第三実施例では下表面に該ソフト充填層９０を増設し、しかも該発熱ユニット６０は該隔絶層１０と該ソフト充填層９０の間に設置する。さらに該隔絶層１０下方（隔絶層１０と発熱ユニット６０の間）には第一緩衝層１１を増設し、該通気層５０下縁の適当な位置（通気層５０と通風層３０の間）には少なくとも１個の第二緩衝層５２を増設する。該第一緩衝層１１、該第二緩衝層５２はスポンジ或いはジェルなどの柔軟な材料により製造し、こうして該両用クッション体は触感の柔軟性と震動吸収効果を拡大することができる。
この他、本実施例のファン４０の形態と実施数もいくらか変化する。図は軸流式ファンにより説明する。その通風散熱原理と使用方式は、第一、第二実施例に示す両用クッション体と大方相同であるため、ここでは詳述しない。
【００１８】
本考案第三実施例の発熱状態概略図である図９、及び図８に示すように、この実施例が示す構造と第一、第二実施例の使用上での最大の差異は以下の通りである。
すなわち両用クッション体が保温効果を発揮する時には、両用クッション体上下をさかさまに設置し、該ソフト充填層９０を上向きにし、該通気層５０を下向きにする。該ソフト充填層９０は一般の綿布、フェルトなどの通常見られる布或いは皮革などの柔軟な材料により製造し、その保温効果をさらに向上させる。
特に本実施例の発熱ユニット６０の設置部位は該隔絶層１０と該ソフト充填層９０の間であるため、実施時には、該発熱ユニット６０は電気抵抗原理を利用し発熱するカーボンファイバー発熱線、印刷加熱片、他の発熱材料、或いは遠赤外線放射体を含み、直接又は間接的に該ソフト充填層と該隔絶層１０の間に固定する。本実施例は一切れの布６１上に湾曲周回方式で発熱線６２を敷設し、該発熱線６２が発熱すると、該布６１上は均一に発熱し、しかも上昇した温度は該ソフト充填層９０表面に伝導される。
上記は両用クッション体の各実施零説明と図示による本考案の実施例であるが、発熱ユニット６０は該各図中に掲示する設置部位と形状、構造に限定されるものではない。
【図面の簡単な説明】
【００１９】
【図１】本考案第一実施例の立体分解図である。
【図２】本考案第一実施例の立体組み合わせ図である。
【図３】本考案第一実施例の断面概略図である。
【図４】本考案第一実施例ファンの反対方向作動の概略図である。
【図５】本考案第一実施例通風層の背面概略図である。
【図６】本考案第一実施例の発熱状態概略図である。
【図７】本考案第二実施例の立体外観図である。
【図８】本考案第三実施例の立体分解図である。
【図９】本考案第三実施例の発熱状態概略図である。
【符号の説明】
【００２０】
１０  隔絶層
１１  第一緩衝層
２０  保護層
３０  通風層
３１  第一間隔部
３２  通風孔
３３  ファン孔
３４  第二間隔部
４０  ファン
４１  保護フレーム
５０  通気槽
５１  通気孔
５２  第二緩衝層
６０  発熱ユニット
６１  布
６２  発熱線
７０  制御ユニット
７１  スイッチ
７２  電源供給部
７３  ダイヤル
８０  包覆層
９０  ソフト充填層
【図１】
0003130719.tif 000003
【図２】
0003130719.tif 000004
【図３】
0003130719.tif 000005
【図４】
0003130719.tif 000006
【図５】
0003130719.tif 000007
【図６】
0003130719.tif 000008
【図７】
0003130719.tif 000009
【図８】
0003130719.tif 000010
【図９】
0003130719.tif 000011